(57)【要約】【課題】複数の音声コーデック（以下、コーデック）を使用する無線通信システムの基地局において、該複数のコーデックを識別して音声モニタする。【解決手段】第１のコーデックを備える第１の端末局と、第１と第２のコーデックを備える第２の端末局と、第１及び第２の端末局と無線通信を行う基地局とを備え、第１及び第２の端末局が基地局を介して無線通話可能な無線通信システムにおいて、基地局を介する無線通話で使用されるコーデックを決定するコーデック決定部と、基地局を介する無線通話をモニタするモニタ部とを備え、モニタ部は、基地局を介する無線通話が行われる際に、当該無線通話で使用されるコーデック種別をコーデック決定部から受信し、該受信した種別を当該無線通話で使用される無線通話チャネルと対応付けて記憶し、無線通話チャネルが指定された通話モニタ要求がなされると、指定された無線通話チャネルに対応するコーデックにより音声データを復号化する。【選択図】  図１
2014072567.tif 000002
【特許請求の範囲】
【請求項１】
第１の音声コーデックを備える第１の端末局と、第１の音声コーデックと第２の音声コーデックとを備える第２の端末局と、前記第１の端末局及び前記第２の端末局と無線通信を行う基地局とを備え、前記第１の端末局及び前記第２の端末局が前記基地局を介して無線通話可能な無線通信システムであって、さらに、
前記基地局を介する無線通話において使用される音声コーデックを決定する音声コーデック決定部と、
操作者からの入力を受け付ける操作部と情報を記憶する記憶部とを有し、前記基地局を介する無線通話をモニタするモニタ部とを備え、
前記モニタ部は、前記基地局を介する無線通話が行われる際に、当該無線通話において使用される音声コーデックの種別を前記音声コーデック決定部から受信し、該受信した音声コーデックの種別を当該無線通話において使用される無線通話チャネルと対応付けて、前記記憶部に記憶し、前記操作部からモニタ対象の無線通話チャネルが指定された通話モニタ要求がなされると、該指定された無線通話チャネルに対応する音声コーデックの種別を前記記憶部から読み出し、該読み出した種別の音声コーデックに基づき、当該無線通話の音声データを復号化して出力することを特徴とする無線通信システム。
【請求項２】
請求項１に記載された無線通信システムであって、
前記音声コーデック決定部は、前記基地局を介する無線通話の音声データの経路を設定する回線制御部に設けられ、
前記モニタ部は、前記基地局に設けられることを特徴とする無線通信システム。
【請求項３】
請求項１又は請求項２に記載された無線通信システムであって、
前記モニタ部は、前記基地局宛てに送信された上り音声データと前記基地局から送信された下り音声データとを復号化した後、加算して出力することを特徴とする無線通信システム。
【請求項４】
複数の端末局と無線通信を行い、当該基地局を介する無線通話をモニタするモニタ部を備える基地局であって、
前記モニタ部は、複数種類の音声コーデックを有し、前記基地局を介する無線通話が行われる際に、当該無線通話において使用される音声コーデックの種別を受信し、前記複数種類の音声コーデックの中から前記受信した音声コーデックを選択して使用し、当該無線通話の音声データを復号化して出力することを特徴とする基地局。
【請求項５】
請求項４に記載された基地局であって、
前記モニタ部は、操作者からの入力を受け付ける操作部と情報を記憶する記憶部とを有し、前記基地局を介する無線通話が行われる際に、当該無線通話において使用される音声コーデックの種別を受信し、該受信した音声コーデックの種別を当該無線通話において使用される無線通話チャネルと対応付けて、前記記憶部に記憶し、前記操作部からモニタ対象の無線通話チャネルが指定された通話モニタ要求がなされると、該指定された無線通話チャネルに対応する音声コーデックの種別を前記記憶部から読み出し、該読み出した種別の音声コーデックに基づき、当該無線通話の音声データを復号化して出力することを特徴とする基地局。
【請求項６】
請求項４又は請求項５に記載された基地局であって、
前記モニタ部は、前記基地局宛てに送信された上り音声データと前記基地局から送信された下り音声データとを復号化した後、加算して出力することを特徴とする基地局。
【発明の詳細な説明】
【技術分野】
【０００１】
本発明は、音声コーデックを使用する無線通信システムにおいて通話内容をモニタする技術に関し、例えば、複数の音声コーデックを使用する無線通信システムの基地局において、該複数の音声コーデックを識別してモニタする技術に関するものである。
【背景技術】
【０００２】
従来の無線通信システム、例えば防災無線システムにおいて音声通話をモニタする例について、図１を用いて説明する。図１に示すように、この防災無線システムは、主として、統制局１０と基地局３０と端末局６０とから構成される。端末局６０は、固定端末局や移動端末局を含み、複数設けることができる。統制局１０と基地局３０は、有線やマイクロ波回線等で接続される。基地局３０と端末局６０は、例えば２６０ＭＨｚのデジタル無線で接続される。
【０００３】
このような防災無線システムの基地局３０において、例えば、基地局３０の検査や異常確認等の保守目的のために、基地局３０を介して行われる端末局６０同士の音声通話をモニタすることが行われる。例えば、通話音声の品質が劣化する不具合が発生した場合、どこで劣化しているのか（基地局で劣化しているのか）を判断するために、基地局において音声通話のモニタが行われる。
【０００４】
従来、端末局６０のうち移動端末局では、音声コーデックとしてＥＬＣＥＬＰ１種類のみを使用している。そのため、基地局３０において通話モニタする場合、符号化された音声信号をＥＬＣＥＬＰでデコード（復号化）してスピーカから音声出力すればよかった。ここで、音声コーデックとは、音声信号を符号化、及び符号化された音声信号を復号化するものであり、ハードウエア又はソフトウエアにより構成される。
ところが、端末局６０の中で例えば固定端末局のように、音声コーデックとしてＡＭＢＥを使用するものが増えてきている。ＡＭＢＥは、ＥＬＣＥＬＰよりもビットレートが高い、つまり音声の品質が比較的ＥＬＣＥＬＰよりも良好である。
【０００５】
したがって、基地局３０における従来の通話モニタ方法では、ＥＬＣＥＬＰで符号化された音声信号はモニタできても、ＡＭＢＥで符号化された音声信号はモニタできないことになる。
基地局３０を介する無線通信のすべてについて、音声品質が比較的悪いＥＬＣＥＬＰから音声品質の比較的良いＡＭＢＥに変更することも考えられるが、この変更を行うと、移動端末局を含め無線端末局全てについて、ＡＭＢＥに対応する必要がある。また、防災無線システムでは、他の防災無線システム（他県、他市町村のシステム）からの応援通信機能があるが、他システムの無線端末がＥＬＣＥＬＰのみサポートしている場合も多く、この場合は応援通信機能が使用できなくなる。
【０００６】
下記の特許文献１には、防災無線通信システムを含む無線通信システムが開示されている。
【先行技術文献】
【特許文献】
【０００７】
【特許文献１】特開２００６−２２９６３７公報
【発明の概要】
【発明が解決しようとする課題】
【０００８】
本発明の目的は、上記した従来技術の問題点を解決し、複数の音声コーデックを使用する無線通信システムにおいて、該複数の音声コーデックを識別してモニタできる技術を提供することにある。
【課題を解決するための手段】
【０００９】
上記課題を解決するための、本願発明の代表的な構成は、次のとおりである。すなわち、
第１の音声コーデックを備える第１の端末局と、第１の音声コーデックと第２の音声コーデックとを備える第２の端末局と、前記第１の端末局及び前記第２の端末局と無線通信を行う基地局とを備え、前記第１の端末局及び前記第２の端末局が前記基地局を介して無線通話可能な無線通信システムであって、さらに、
前記基地局を介する無線通話において使用される音声コーデックを決定する音声コーデック決定部と、
操作者からの入力を受け付ける操作部と情報を記憶する記憶部とを有し、前記基地局を介する無線通話をモニタするモニタ部とを備え、
前記モニタ部は、前記基地局を介する無線通話が行われる際に、当該無線通話において使用される音声コーデックの種別を前記音声コーデック決定部から受信し、該受信した音声コーデックの種別を当該無線通話において使用される無線通話チャネルと対応付けて、前記記憶部に記憶し、前記操作部からモニタ対象の無線通話チャネルが指定された通話モニタ要求がなされると、該指定された無線通話チャネルに対応する音声コーデックの種別を前記記憶部から読み出し、該読み出した種別の音声コーデックに基づき、当該無線通話の音声データを復号化して出力することを特徴とする無線通信システム。
【発明の効果】
【００１０】
本願発明によれば、複数の音声コーデックを使用する無線通信システムにおいて、該複数の音声コーデックを識別してモニタすることができる。
【図面の簡単な説明】
【００１１】
【図１】本発明の実施形態における無線通信システムの構成図である。
【図２】本発明の実施形態における端末局の構成図である。
【図３】本発明の実施形態における基地局モニタ部の部分構成図である。
【図４】本発明の実施形態におけるグループ一斉通話シーケンスである。
【図５】本発明の実施形態における個別通話シーケンスである。
【図６】本発明の実施形態における無線キャリア周波数割当ての一例である。
【図７】本発明の実施形態におけるフレーム構成を示す図である。
【発明を実施するための形態】
【００１２】
（無線通信システムの構成）
本発明の実施形態の一例である無線通信システムの構成について、図１を参照しながら説明する。図１は、本発明の実施形態における無線通信システムの構成を示す図である。なお、前述の背景技術の説明において図１を用いたが、基地局が複数の音声コーデックを識別してモニタすることに関する事項以外は、本発明の実施形態の構成は、背景技術の構成と同様である。背景技術で既に説明したものについては適宜説明を省略する。
【００１３】
図１の無線通信システムは、例えば、標準規格ARIB STD−T79（Association of Radio Industries and Businesses−T79）の「都道府県・市町村デジタル移動通信システム」、あるいは「市町村デジタル移動通信システム」で定められているデジタル無線システムである。このデジタル無線システムは、基地局を経由した端末局間の通信接続サービス等が行なわれるように構成されている。
【００１４】
標準規格ARIB STD−T79で定められているデジタル無線技術を用いたデジタル無線システムで使用が許可されている無線キャリア（carrier）周波数割当ての一例を図６に示す。図６において、例えば、上り方向、即ち、端末局→基地局の方向では、約２６０ＭＨｚ〜２６６ＭＨｚの無線キャリアｆで、２５ｋＨｚ幅で、複数波（ｆ１、ｆ２、・・・）が認められている。また、下り方向、即ち、基地局→端末局の方向では、上り方向の２６０ＭＨｚから９ＭＨｚ離れた約２６９ＭＨｚ〜２７５ＭＨｚの無線キャリアＦで、２５ｋＨｚ幅で、複数波（Ｆ１、Ｆ２、・・・）が認められている。従って、デジタル無線システムの通信においては、上り方向ｆ１、ｆ２、・・・、下り方向Ｆ１、Ｆ２、・・・の各周波数が使用される。そして、各システムは、その規模に応じて１又は複数の無線キャリアを使用することができる。
【００１５】
更に、各無線キャリアは、図７に示すようなフレームに分割され、さらにフレームを４つのスロットに分けられた後、そのスロットに制御チャネルＣと通信チャネルＳ１、Ｓ２、Ｓ３が割り当てられている。なお、通信チャネルＳ１、Ｓ２、Ｓ３を代表する場合は、通信チャネル（または通話チャネル、あるいは無線通話チャネルともいう。）Ｓと称する。ここで、１フレームは、例えば、４０ｍｓ、１スロットは、１０ｍｓである。制御チャネルＣは、無線回線の接続制御を行うチャネルであり、通信チャネルＳは、通話やデータ通信を行うチャネルである。なお、図７は、一例を示すもので、システムの規模、使用目的に応じて上り下りのペア波の数、制御チャネル、通信チャネルの数等を適宜変更することができる。
【００１６】
図１に示すように、本実施形態の無線通信システムは、主として、統制局１０と、基地局３０と、端末局６０とを備える。端末局６０は、例えば、位置が固定された固定端末局や移動可能な移動端末局である。統制局１０と基地局３０は、本例では有線接続しているが、マイクロ波回線を介して接続してもよい。基地局３０と端末局６０は、例えば２６０ＭＨｚのデジタル無線により無線通信可能なように接続される。図１では端末局６０は、端末局６０（１）と端末局６０（２）の２つが示されているが、１つであってもよいし３つ以上であってもよい。端末局６０（１）と端末局６０（２）を代表する場合は端末局６０と総称する。端末局６０は、基地局３０を介して他の端末局６０と無線通話可能である。
【００１７】
統制局１０は、統制台１２とファクシミリ１３と統制局制御装置２０を備え、統制局制御装置２０には、統制台１２とファクシミリ１３とが接続される。
統制台１２は、マイク１２ａやスピーカ１２ｂを備え、他通話のモニタ、割込み、強制切断が可能な統制機能を有し、また、電話機としての通話機能を有する有線端末局である。統制台１２は、基地局３０を介して端末局６０と無線通話可能である。統制台１２は、音声コーデックとしてμＬａｗを備えており、電話機として機能する場合は、マイク１２ａから入力された音声信号がμＬａｗにより符号化され、統制台１２外の他の電話機から受信した符号化された音声信号がμＬａｗにより復号化されてスピーカ１２ｂから音声出力される。
【００１８】
統制局制御装置２０は、回線制御部２１、コーデック部２２、記憶部２３を備え、統制局１０を構成する各構成部や、統制局１０全体を制御する。
コーデック部２２は、回線制御部２１からの指示に基づき音声データのコーデック変換を行うもので、例えば、統制台１２と固定端末局の間で通話を行う場合はμＬａｗとＡＭＢＥの間でコーデック変換を行い、統制台１２と移動端末局の間で通話を行う場合はμＬａｗとＥＬＣＥＬＰとの間でコーデック変換を行う。そのため、コーデック部２２は、複数種類の音声コーデック、ＥＬＣＥＬＰ、μＬａｗ、ＡＭＢＥを備えている。
【００１９】
回線制御部２１は、本無線通信システムにおける音声データの経路を設定し管理する。また、回線制御部２１は、本無線通信システムにおける呼制御を行い管理する。また、回線制御部２１は、統制台１２や端末局６０等から通話要求が発信された場合に、該通話要求の発信元から受信した発信元ＩＤ情報（発信元の端末局を識別する識別子を示す情報）及び着信先ＩＤ情報（着信先の端末局を識別する識別子を示す情報）と、後述する音声コーデックマトリクス情報とに基づき、基地局３０と端末局６０との間の無線通話、つまり基地局３０を介する無線通話で使用する音声コーデックとして、どの音声コーデックを使用するかを選択し決定する。そして、回線制御部２１は、上記決定した音声コーデックを、後述するように、基地局３０のモニタ部４０へ送信し通知する。
このように、回線制御部２１は、基地局３０を介する無線通話で使用する音声コーデックを決定する音声コーデック決定部（手段）として機能する。
【００２０】
記憶部２３は、音声コーデックマトリクス情報（不図示）を記憶する。音声コーデックマトリクスは、基地局３０を介する無線通話で使用する音声コーデック種別を、通話要求の発信元と着信先に対応付けて指定したものであり、例えば、回線制御部２１に接続された保守端末（不図示）から操作者が予め設定しておく。
音声コーデックマトリクス情報において、通話要求元（呼の発信元）である発信側、又は通話要求先（呼の着信先）である着信側のうち、いずれか一方が移動端末局である場合は、基地局３０を介する無線通話で使用する音声コーデックとしてＥＬＣＥＬＰを使用する。本実施形態では、移動端末局は、音声コーデックとしてＥＬＣＥＬＰのみを備える。
発信側と着信側のいずれも移動端末局でない場合、例えば固定端末局や統制台１２や後述の内線電話機１６などの場合は、基地局３０を介する無線通話で使用する音声コーデックとしてＡＭＢＥを使用する。本実施形態では、固定端末局は、音声コーデックとしてＥＬＣＥＬＰとＡＭＢＥを備える。
【００２１】
また、統制局制御装置２０には、中継交換機１５が接続される。中継交換機１５には、内線電話機１６とファクシミリ１７が接続される。内線電話機１６は、音声コーデックとしてμＬａｗを備えており、内線電話機１６のマイクから入力された音声信号がμＬａｗにより符号化され、他の電話機から受信した符号化された音声信号がμＬａｗにより復号化されて内線電話機１６のスピーカから音声出力される。
【００２２】
図２は、本発明の実施形態における端末局の構成図である。図２に示すように、端末局６０は、制御部６１と無線部６２と記憶部６３と操作表示部６４とマイク６５とスピーカ６６を備え、電話機として機能する。無線部６２には、基地局３０と無線通信を行うためのアンテナ６２ａが接続される。制御部６１は、端末局６０を構成する各構成部や、端末局６０全体を制御する。
移動端末局の制御部６１は、音声コーデックとしてＥＬＣＥＬＰを備えている。マイク６５から入力された音声信号は、ＥＬＣＥＬＰにより符号化され無線送信される。他の電話機から無線受信した符号化された音声信号は、ＥＬＣＥＬＰにより復号化されてスピーカ６６から音声出力される。
【００２３】
固定端末局の制御部６１は、音声コーデックとしてＥＬＣＥＬＰとＡＭＢＥを備えている。通話相手の電話機が移動端末局以外の場合は、マイク６５から入力された音声信号は、ＡＭＢＥにより符号化され無線送信される。通話相手の電話機から無線受信したＡＭＢＥにより符号化された音声信号は、ＡＭＢＥにより復号化されてスピーカ６６から音声出力される。
また、通話相手の電話機が移動端末局の場合は、マイク６５から入力された音声信号は、ＥＬＣＥＬＰにより符号化され無線送信される。通話相手の電話機から無線受信したＥＬＣＥＬＰにより符号化された音声信号は、ＥＬＣＥＬＰにより復号化されてスピーカ６６から音声出力される。
【００２４】
基地局３０は、制御部３１と無線部３２とインタフェース（ＩＦ）部３３とモニタ部４０とを備える。無線部３２は、端末局６０との間で無線通信を行うもので、そのためのアンテナ３２ａを有している。ＩＦ部３３は、統制局１０の回線制御部２１との間のインタフェースである。制御部３１は、基地局３０を構成する各構成部や、基地局３０全体を制御する。また、制御部３１は、モニタ部４０に対し、後述するハイウエイ回線の音声データを提供する。
【００２５】
モニタ部４０は、基地局３０を介する無線通話をモニタ、つまり通話音声の監視や傍受を行う。
図３は、本発明の実施形態における基地局モニタ部の一部を示す部分構成図である。図３では、制御部４１と操作部４２と記憶部４３は、図示を省略している。図３の例では、基地局が上り下りにそれぞれ２つの無線キャリア（キャリア＃１，＃２）を使用でき、１無線キャリアあたり通話スロット（通話チャネル）が４スロット（スロット＃１〜＃４）あり、基地局３０を介して行われる無線通話で使用される音声コーデックがＥＬＣＥＬＰとＡＭＢＥの２種類の場合を示す。
【００２６】
Ｈ回線番号は、統制局１０の回線制御部２１と基地局３０との間のハイウエイ回線（Ｈ回線）を識別する番号である。Ｈ回線は、基地局３０から出て回線制御部２１を経由して基地局３０に戻るルートとして構成される。そして、Ｈ回線は、上りと下りの無線キャリアを含むように構成される。図３の例では、例えば、Ｈ回線番号１は、上りの無線キャリア＃１のスロット＃１と、下りの無線キャリア＃１のスロット＃１とを含むように構成される。
【００２７】
図１と図３に示すように、モニタ部４０は、モニタ部４０の制御部４１、操作部４２、記憶部４３、セレクタ５１ａ，５１ｂ、スイッチ５２ａ，５２ｂ、音声コーデック（ＥＬＣＥＬＰ）５３ａ，５３ｂ、音声コーデック（ＡＭＢＥ）５４ａ，５４ｂ、セレクタ５５ａ，５５ｂ、加算器５６、Ｄ／Ａコンバータ５７、アンプ５８、スピーカ５９を備える。
【００２８】
セレクタ５１ａ，５１ｂは、モニタする無線通話チャネルを選択、つまり無線キャリアとスロットを選択する。セレクタ５１ａは、上りの８つの無線通話チャネルのうち１つを選択し、セレクタ５１ｂは、下りの８つの無線通話チャネルのうち１つを選択する。
音声コーデック（ＥＬＣＥＬＰ）５３ａ，５３ｂは、音声データをＥＬＣＥＬＰによりデコードし、音声コーデック（ＡＭＢＥ）５４ａ，５４ｂは、音声データをＡＭＢＥによりデコードする。
【００２９】
スイッチ５２ａは、セレクタ５１ａで選択された通話チャネルの音声データを、音声コーデック（ＥＬＣＥＬＰ）５３ａに入力するか、音声コーデック（ＡＭＢＥ）５４ａに入力するかを切り替える。スイッチ５２ｂは、セレクタ５１ｂで選択された通話チャネルの音声データを、音声コーデック（ＥＬＣＥＬＰ）５３ｂに入力するか、音声コーデック（ＡＭＢＥ）５４ｂに入力するかを切り替える。
セレクタ５５ａは、入力される音声コーデック（ＥＬＣＥＬＰ）５３ａからの音声データと音声コーデック（ＡＭＢＥ）５４ａからの音声データの２つのうち、１つを選択して出力する。セレクタ５５ｂは、入力される音声コーデック（ＥＬＣＥＬＰ）５３ｂからの音声データと音声コーデック（ＡＭＢＥ）５４ｂからの音声データの２つのうち、１つを選択して出力する。
【００３０】
加算器５６は、セレクタ５５ａの出力とセレクタ５５ｂの出力とを加算、つまり、上り音声データと下り音声データとを加算する。Ｄ／Ａコンバータ５７は、音声データをアナログ信号に変換する。アンプ５８は、アナログ音声信号を増幅するオーディオアンプである。スピーカ５９は、音声を出力する。
【００３１】
記憶部４３は、制御部４１からの指示に基づき、無線通話チャネルに対応する音声コーデックの種別、つまり無線キャリアとスロットに対応する音声コーデックの種別を記憶する。
【００３２】
制御部４１は、モニタ部４０を構成する各構成部や、モニタ部４０全体を制御する。制御部４１は、無線キャリアとスロットに対応する音声コーデックの種別が、統制局１０の回線制御部２１により設定、又は更新されるごとに、無線キャリアとスロットに対応する音声コーデックの種別を、基地局制御部３１を介して回線制御部２１から受信し、記憶部４３に記憶させる。回線制御部２１は、回線制御部２１により呼接続され無線通話が形成されるごとに、当該無線通話に使用される音声コーデックの種別を決定し、基地局制御部３１へ送信する。
【００３３】
また、制御部４１は、操作部４２から入力された無線キャリア番号とスロット番号を読み込んで、無線キャリア番号を示すキャリア選択信号、及びスロット番号を示すスロット選択信号を出力する。また、制御部４１は、操作部４２から入力された無線キャリア番号とスロット番号に対応する音声コーデックの種別を記憶部４３から読み込んで、該音声コーデックの種別を示すコーデック選択信号を出力する。
【００３４】
操作部４２は、操作者からの指示や各種データ入力を受け付ける。操作部４２は、各種データを表示する表示部を備えるものであってもよい。例えば、操作部４２は、モニタ対象の通話チャネルの無線キャリア番号とスロット番号を指示するための入力を受け付ける。モニタ対象の無線キャリア番号とスロット番号を指示するための入力は、モニタ対象の無線キャリア番号とスロット番号そのものを直接的に入力するものであってもよいし、基地局３０が有する全通話チャネルの無線キャリア番号とスロット番号を表示しておき、その中から選択するようにしてもよい。
【００３５】
通話をモニタする場合は、操作者が操作部４２から、モニタ対象の無線キャリア番号とスロット番号を入力する。すると、前述したように、該入力された無線キャリア番号とスロット番号を制御部４１が読み込んで、無線キャリア番号を示すキャリア選択信号、及びスロット番号を示すスロット選択信号を、セレクタ５１ａ，５１ｂに出力する。また、該入力された無線キャリア番号とスロット番号に対応する音声コーデックの種別を制御部４１が記憶部４３から読み込んで、該音声コーデックの種別を示すコーデック選択信号を、スイッチ５２ａ，５２ｂ、セレクタ５５ａ，５５ｂに出力する。
【００３６】
制御部４１からのキャリア選択信号及びスロット選択信号に従い、セレクタ５１ａは、該当する無線キャリア番号とスロット番号の上り音声データを選択してスイッチ５２ａに出力する。セレクタ５１ｂは、該当する無線キャリア番号とスロット番号の下り音声データを選択してスイッチ５２ｂに出力する。スイッチ５２ａ，５２ｂ、セレクタ５５ａ，５５ｂは、制御部４１からのコーデック選択信号に従い、該当する音声コーデックの種別に対応するように切替わる。
例えば図３では、Ｈ回線番号３（キャリア＃３、スロット＃３）の通話（ＡＭＢＥ）をモニタする場合であるので、セレクタ５１ａ，５１ｂの出力は入力Ｃと接続、スイッチ５２ａ，５２ｂ、及びセレクタ５５ａ，５５ｂは、入力Ｋと接続される。
【００３７】
こうして、セレクタ５１ａ，５１ｂで選択出力された音声データは、それぞれ、スイッチ５２ａ，５２ｂを介して、音声コーデック（ＡＭＢＥ）５４ａ，５４ｂに入力される。音声コーデック（ＡＭＢＥ）５４ａ，５４ｂで復号された音声データは、それぞれ、セレクタ５５ａ，５５ｂを介して加算器５６に入力される。加算器５６で加算された音声データは、Ｄ／Ａコンバータ５７に入力されアナログ変換される。アナログ変換された音声信号は、オーディオアンプ５８で増幅され、スピーカ５９より出力されてモニタされる。
【００３８】
なお、単信通信の場合は、上り音声データと下り音声データは同時刻に発生しないので、加算器５６で加算しても重なることはない。複信通信の場合は、上り音声データと下り音声データは同時刻に発生しうるので、加算器５６で加算すると重なる場合がある。しかし、保守目的で音声モニタする場合は、上り音声データと下り音声データの存在を確認できれば足りることが多いので、上り音声データと下り音声データとを加算器５６で加算する構成とすることができる。このようにすると、モニタ部４０の構成を簡素化できる。
【００３９】
もちろん、上り音声データと下り音声データとを加算器５６で加算するのではなく、加算器５６の代わりにスイッチを設け、該スイッチを介する操作部４２からの指示に基づき、上り音声データと下り音声データと切り替えてスピーカ５９より出力するように構成してもよい。このようにすると、複信通信の場合も上り音声データと下り音声データとが重ならないので、音声内容を正確にモニタすることができる。
【００４０】
（第１実施例：端末局からのグループ一斉通話シーケンス）
次に、端末局からの単信のグループ一斉通話シーケンスについて、図４を用いて説明する。図４は、本発明の実施形態におけるグループ一斉通話シーケンスである。
まず、端末局Ｂが、操作者の発信操作（図４のステップＳ１）により、基地局３０に対して、グループ一斉通信を要求するグループ呼設定要求情報を送信する（ステップＳ２）。このグループ呼設定要求情報は、端末局Ｂが通話を要求する通話要求情報である。
【００４１】
グループ一斉通信とは、予め登録されたグループに属する複数の端末局すべてとの間で、一斉通話を可能とするものである。この場合は、端末局Ｂとグループに属する複数の端末局すべてとの間で、一斉通話が行われる。このグループ呼設定要求情報には、通信機器情報と通信種別情報とが含まれる。
通信機器情報には、発信元の端末局を示す発信元ＩＤ情報（例えば端末局Ｂの電話番号）と、着信先の端末局を示す着信先ＩＤ情報（例えばグループ一斉を示す電話番号）とが含まれる。
【００４２】
通信種別情報とは、一斉通信や、単信通信や、複信通信等の種別を示す。一斉通信は、複数の端末局すべてとの間で一斉通話を行うものである。単信通信は、同時に片方向の通信のみ可能、つまり同時に双方向の通信が行えないものである。複信通信は、同時に双方向の通信が行えるものである。
本実施形態では、グループ一斉通信は単信通信とされており、単信通信の場合の音声コーデックは、ＥＬＣＥＬＰとされている。
【００４３】
グループ呼設定要求情報を受信した基地局３０の無線部３２は、基地局制御部３１にグループ呼設定要求情報を送信する。グループ呼設定要求情報を受信すると、基地局制御部３１は、端末局６０との間の無線回線に空きがあるか確認し、空きの無線回線を確保する（ステップＳ３）。無線回線を確保した段階では、使用する無線キャリアとスロットはまだ決定されていないが、当該無線回線確保後に別の呼設定要求を受信しても、確保した無線回線は使用されないようになっている。
その後、基地局制御部３１は、統制局１０の回線制御部２１へ、グループ呼設定要求情報を送信し通知する（ステップＳ４）。
【００４４】
グループ呼設定要求情報を受信した回線制御部２１は、該受信したグループ呼設定要求情報に含まれる通信種別情報と通信機器情報に基づき、使用するコーデックを判定する（ステップＳ５）。ここでは、通信種別情報が単信通信であるので、ＥＬＣＥＬＰと判定することになる。
その後、回線制御部２１は、使用するコーデック情報（ＥＬＣＥＬＰ）を付加したグループ呼設定情報を、基地局３０へ送信し通知する（ステップＳ６）。ＩＦ部３３を介してグループ呼設定情報を受信した基地局制御部３１は、使用する無線通話チャネル、つまり、無線キャリア番号とスロット番号を決定する。そして、基地局制御部３１は、受信したグループ呼設定情報に基づき、コーデック情報（ＥＬＣＥＬＰ）と無線通話チャネル情報（無線キャリア番号とスロット番号）を、モニタ部４０へ送信し通知する（ステップＳ８）。なお、この際、基地局制御部３１は、当該無線キャリア番号とスロット番号に対応するＨ回線番号をモニタ部４０に通知しても良い。
【００４５】
コーデック情報（ＥＬＣＥＬＰ）と無線通話チャネル情報を受信すると、モニタ部４０は、受信した無線通話チャネル情報、つまり無線キャリア番号及びスロット番号と対応付けて、受信した音声コーデックの種別を、記憶部４３に記憶する。なお、モニタ部４０は、Ｈ回線番号も付加されていた場合には、Ｈ回線番号も対応付けて記憶部４３に記憶する。
コーデック情報（ＥＬＣＥＬＰ）と無線通話チャネル情報を受信することにより、モニタ部４０は、該無線通話チャネル情報により特定される無線キャリア番号とスロット番号で使用されるコーデック情報がＥＬＣＥＬＰであることを認識することができ、これ以降、音声モニタが可能となる。
【００４６】
その後、基地局制御部３１は、コーデック情報（ＥＬＣＥＬＰ）を付加した呼設定受付情報を、無線部３２を介して端末局Ｂに無線送信し通知する（ステップＳ７）。これにより、端末局Ｂは、使用するコーデック情報（ＥＬＣＥＬＰ）を認識することが可能となる。なお、ステップＳ７とステップＳ８の順序を逆にしても構わない。
【００４７】
基地局制御部３１は、前述のグループ呼設定情報（ステップＳ６）を回線制御部２１から受信すると、グループ呼設定情報を受け付けたことを示す呼設定受付情報を、回線制御部２１へ送信する（ステップＳ９）。その応答として、使用するコーデック情報（ＥＬＣＥＬＰ）を付加したグループ呼設定情報を回線制御部２１から受信する（ステップＳ１０）と、コーデック情報（ＥＬＣＥＬＰ）と無線通話チャネル情報を、モニタ部４０へ送信し通知する（ステップＳ１１）。前述したように、無線通話チャネル情報には、無線キャリア番号とスロット番号が含まれる。なお、コーデック情報（ＥＬＣＥＬＰ）と無線通話チャネル情報は、既にステップＳ８においてモニタ部４０へ送信しているので、ステップＳ１０とステップＳ１１は省略することもできる。
【００４８】
その後、基地局制御部３１は、使用するコーデック情報（ＥＬＣＥＬＰ）を付加したグループ呼設定情報を、端末局Ａを含むグループ内の端末局に送信し通知する（ステップＳ１２）。これにより、グループ内の端末局は、使用するコーデック情報（ＥＬＣＥＬＰ）を認識することが可能となる。
【００４９】
また、基地局制御部３１は、使用する無線通話チャネル、つまり、無線キャリア番号とスロット番号を指定する無線通話チャネル指定情報を、端末局Ａと端末局Ｂを含むグループ内の端末局に送信し通知する（ステップＳ１３）。これにより、グループ内の端末局は、使用する無線キャリア番号とスロット番号を認識することが可能となる。
また、基地局制御部３１は、無線キャリア番号とスロット番号を指定する無線通話チャネル指定情報を、回線制御部２１へ送信し通知する（ステップＳ１４）。これにより、回線制御部２１は、グループ一斉通話で使用する無線キャリア番号とスロット番号を認識することが可能となる。
【００５０】
以上の処理を行うことで、音声通信で使用するコーデック情報に関し、回線制御部２１、基地局３０、端末局６０において、同じ情報（ＥＬＣＥＬＰ）を保有し管理することが可能となる。また、使用する無線通話チャネルに関し、基地局３０やグループ内の端末局６０において、同じ情報を保有し管理することが可能となる。
こうして、無線通話の通信確立がなされた後、グループ内の各端末局６０において、無線部６２の周波数が使用する無線キャリアの周波数に切り替えられ（ステップＳ１５）、グループ一斉通信が行われる（ステップＳ１６）。
【００５１】
この結果、基地局３０で音声モニタをする場合、モニタ部４０の操作部４２で操作者が、モニタ対象の無線キャリア番号とスロット番号を指定して通話モニタ要求を行う（ステップＳ１７）ことにより、制御部４１が、指定された無線キャリア番号とスロット番号にそれぞれ対応するキャリア選択信号とスロット選択信号を出力する。また、制御部４１が記憶部４３から、指定された無線キャリア番号とスロット番号に対応する音声コーデック（ＥＬＣＥＬＰ）の種別を読み出し、ＥＬＣＥＬＰを選択するコーデック選択信号を出力する。
【００５２】
こうして、指定された無線キャリア番号とスロット番号で行われる音声通話の音声データを、その無線キャリア番号とスロット番号に対応する音声コーデック（ＥＬＣＥＬＰ）によりデコードすることができ（ステップＳ１８）、基地局３０での音声モニタが可能となる。
【００５３】
通信切断時は、端末局Ｂにおいて、操作者の切断操作（ステップＳ１９）が行われると、端末局Ｂから基地局３０に対して、通信切断を示す切断要求情報を送信する（ステップＳ２０）。
【００５４】
基地局制御部３１は、通信切断処理完了後、通信切断処理完了を示す解放完了情報を、回線制御部２１へ送信する（ステップＳ２１）。また、基地局制御部３１は、端末局Ｂに対して、切断応答情報を送信する（ステップＳ２２）。また、基地局制御部３１は、モニタ部４０の記憶部４３に記憶している無線通話チャネルと音声コーデックとの対応付けを示す情報の削除を指示する無線通話チャネル情報末梢指示情報を、モニタ部４０に送信し通知する（ステップＳ２３）。
【００５５】
受信した無線通話チャネル情報末梢指示情報に基づき、モニタ部４０は、記憶部４３に記憶している無線通話チャネルと音声コーデックとの対応付けを示す情報を削除する。これにより、以後、音声モニタ操作が行われても音声モニタは不可能となる。また、音声モニタ操作が行われても、モニタ部４０が自律で無音を送信するように構成すると、異音等の発生を防止することが可能となる。
その後、グループ内の端末局６０は、他の端末局６０等に対して呼設定を要求可能、又は他の端末局６０等からの呼を受けることのできる待受け状態に入る（ステップＳ２４）。
【００５６】
（第２実施例：端末局同士の個別通話シーケンス）
次に、端末局同士の複信の個別通話シーケンスについて、図５を用いて説明する。図５は、本発明の実施形態における端末局同士の個別通話シーケンスである。
まず、端末局Ｂが、操作者の発信操作（図５のステップＳ１０１）により、基地局３０に対して、端末局Ａとの間で個別通話を要求する呼設定要求情報を送信する（ステップＳ１０２）。この呼設定要求情報は、端末局Ｂが通話を要求する通話要求情報である。
【００５７】
この個別通話を要求する呼設定要求情報には、第１実施例で述べた通信機器情報と通信種別情報とが含まれる。第２実施例の場合は、通信機器情報には、発信元ＩＤ情報（例えば端末局Ｂの電話番号）と、着信先ＩＤ情報（例えば端末局Ａの電話番号）とが含まれる。通信種別情報には、複信通信の種別を示す情報が含まれる。
本実施形態では、端末局間の個別通話は、単信通信の場合と複信通信の場合がある。複信通信の場合、いずれか一方の端末局が移動端末局である場合は、音声コーデックとしてＥＬＣＥＬＰが使用され、両方の端末局が移動端末局でない場合は、音声コーデックとしてＡＭＢＥが使用される。第２実施例は、複信通信であって両方の端末局が移動端末局でない場合として説明する。したがって、第２実施例では、音声コーデックとしてＡＭＢＥが使用される。
【００５８】
呼設定要求情報を受信した基地局３０の無線部３２は、基地局制御部３１に呼設定要求情報を送信する。呼設定要求情報を受信すると、基地局制御部３１は、端末局６０との間の無線回線に空きがあるか確認し、空きの無線回線を確保する（ステップＳ１０３）。
その後、基地局制御部３１は、統制局１０の回線制御部２１へ、呼設定要求情報を送信し通知する（ステップＳ１０４）。
【００５９】
呼設定要求情報を受信した回線制御部２１は、該受信した呼設定要求情報に含まれる通信種別情報と通信機器情報に基づき、使用するコーデックを判定する（ステップＳ１０５）。ここでは、通信種別情報が複信通信であり、通信機器情報が端末局Ａ，Ｂともに移動端末局でないので、ＡＭＢＥと判定することになる。
その後、回線制御部２１は、使用するコーデック情報（ＡＭＢＥ）を付加した呼設定情報を、基地局３０へ送信し通知する（ステップＳ１０６）。ＩＦ部３３を介して呼設定情報を受信した基地局制御部３１は、使用する無線通話チャネル、つまり、無線キャリア番号とスロット番号を決定する。そして、基地局制御部３１は、受信した呼設定情報に基づき、コーデック情報（ＡＭＢＥ）と無線通話チャネル情報（無線キャリア番号とスロット番号）を、モニタ部４０へ送信し通知する（ステップＳ１０８）。なお、この際、基地局制御部３１は、当該無線キャリア番号とスロット番号に対応するＨ回線番号をモニタ部４０に通知しても良い。
【００６０】
コーデック情報（ＡＭＢＥ）と無線通話チャネル情報を受信すると、モニタ部４０は、受信した無線通話チャネル情報、つまり無線キャリア番号及びスロット番号と対応付けて、受信した音声コーデックの種別を、記憶部４３に記憶する。なお、モニタ部４０は、Ｈ回線番号も付加されていた場合には、Ｈ回線番号も対応付けて記憶部４３に記憶する。
コーデック情報（ＡＭＢＥ）と無線通話チャネル情報を受信することにより、モニタ部４０は、該無線通話チャネル情報により特定される無線キャリア番号とスロット番号で使用されるコーデック情報がＡＭＢＥであることを認識することができ、これ以降、音声モニタが可能となる。
【００６１】
その後、基地局制御部３１は、コーデック情報（ＡＭＢＥ）を付加した呼設定受付情報を、無線部３２を介して端末局Ｂに無線送信し通知する（ステップＳ１０７）。これにより、端末局Ｂは、使用するコーデック情報（ＡＭＢＥ）を認識することが可能となる。なお、ステップＳ１０７とステップＳ１０８の順序を逆にしても構わない。
【００６２】
基地局制御部３１は、前述の呼設定情報（ステップＳ１０６）を回線制御部２１から受信すると、呼設定情報を受け付けたことを示す呼設定受付情報を、回線制御部２１へ送信する（ステップＳ１０９）。その応答として、使用するコーデック情報（ＡＭＢＥ）を付加した呼設定情報を回線制御部２１から受信する（ステップＳ１１０）と、コーデック情報（ＡＭＢＥ）と無線通話チャネル情報を、モニタ部４０へ送信し通知する（ステップＳ１１１）。前述したように、無線通話チャネル情報には、無線キャリア番号とスロット番号が含まれ、対応するＨ回線番号が含まれてもよい。
【００６３】
その後、基地局制御部３１は、使用するコーデック情報（ＡＭＢＥ）を付加した呼設定情報を、端末局Ａに送信し通知する（ステップＳ１１２）。これにより、端末局Ａは、使用するコーデック情報（ＡＭＢＥ）を認識することが可能となる。
また、基地局制御部３１は、使用する無線通話チャネル、つまり、無線キャリア番号とスロット番号を指定する無線通話チャネル指定情報を、端末局Ａと端末局Ｂに送信し通知する（ステップＳ１１３）。これにより、端末局Ａと端末局Ｂは、使用する無線キャリア番号とスロット番号を認識することが可能となる。
また、基地局制御部３１は、無線キャリア番号とスロット番号を指定する無線通話チャネル指定情報を、回線制御部２１へ送信し通知する（ステップＳ１１４）。これにより、回線制御部２１は、使用する無線キャリア番号とスロット番号を認識することが可能となる。
【００６４】
以上の処理を行うことで、音声通信で使用するコーデック情報に関し、回線制御部２１、基地局３０、端末局６０において、同じ情報（ＡＭＢＥ）を保有し管理することが可能となる。また、使用する無線通話チャネルに関し、基地局３０や端末局Ａや端末局Ｂにおいて、同じ情報を保有し管理することが可能となる。
こうして、端末局Ａと端末局Ｂにおいて、無線部６２の周波数が、使用する無線キャリアの周波数に切り替えられ（ステップＳ１１５）、基地局制御部３１から端末局Ａに対し呼出が行われ、呼出と応答の一連の処理がなされた（ステップＳ１１６〜Ｓ１２０）後、つまり無線通話の通信確立がなされた後、個別通信が行われる（ステップＳ１２１）。
【００６５】
この結果、基地局３０で音声モニタをする場合、モニタ部４０の操作部４２で操作者が、モニタ対象の無線キャリア番号とスロット番号を指定して通話モニタ要求を行う（ステップＳ１２２）ことにより、制御部４１が、指定された無線キャリア番号とスロット番号にそれぞれ対応するキャリア選択信号とスロット選択信号を出力する。また、制御部４１が記憶部４３から、指定された無線キャリア番号とスロット番号に対応する音声コーデック（ＡＭＢＥ）の種別を読み出し、ＡＭＢＥを選択するコーデック選択信号を出力する。
【００６６】
こうして、指定された無線キャリア番号とスロット番号で行われる音声通話の音声データを、その無線キャリア番号とスロット番号で使用される音声コーデック（ＡＭＢＥ）にてデコードすることができ（ステップＳ１２３）、基地局３０での音声モニタが可能となる。
【００６７】
通信切断時は、端末局Ｂにおいて、操作者の切断操作（ステップＳ１２４）が行われると、端末局Ｂから基地局３０に対して、通信切断を示す切断要求情報を送信する（ステップＳ１２５）。
【００６８】
基地局制御部３１は、通信切断処理完了後、通信切断処理完了を示す解放完了情報を、回線制御部２１へ送信する（ステップＳ１２６）。また、基地局制御部３１は、端末局Ｂに対して、切断応答情報を送信する（ステップＳ１２７）。また、基地局制御部３１は、モニタ部４０の記憶部４３に記憶している無線通話チャネルと音声コーデックとの対応付けを示す情報の削除を指示する無線通話チャネル情報末梢指示情報を、モニタ部４０に送信し通知する（ステップＳ１２８）。
【００６９】
受信した無線通話チャネル情報末梢指示情報に基づき、モニタ部４０は、記憶部４３に記憶している無線通話チャネルと音声コーデックとの対応付けを示す情報を削除する。これにより、以後、音声モニタ操作が行われても音声モニタは不可能となる。また、音声モニタ操作が行われても、モニタ部４０が自律で無音を送信するように構成すると、異音等の発生を防止することが可能となる。
その後、端末局Ａと端末局Ｂは、それぞれ、他の端末局６０等に対して呼設定を要求可能、又は他の端末局６０等からの呼を受けることのできる待受け状態に入る（ステップＳ１２９）。
【００７０】
本実施形態によれば、少なくとも次の効果を得ることができる。
（１）複数の音声コーデックを使用する無線通信システムの基地局において、基地局を介する無線通話をモニタするモニタ部を設け、該モニタ部において、複数の音声コーデックを識別できるように構成したので、複数の音声コーデックが使用される無線通話をモニタすることができる。
（２）無線通話の通信確立段階で、モニタ部は、当該無線通話で使用する音声コーデックの種別を、音声コーデック決定部から受信し、使用する無線通話チャネル（無線キャリアとスロット）と対応付けて記憶部に記憶しておき、無線通話中において、モニタ対象の無線通話チャネルを指定されると、該指定された無線通話チャネルに対応する音声コーデックの種別を記憶部から読み出して、該読み出した種別の音声コーデックを用いて、無線通話の音声データをデコードするように構成したので、無線通話中の音声データに使用されている音声コーデックの種別を容易に判定することができる。
（３）回線制御部に、音声コーデック決定部の機能を設けたので、無線通話で使用する音声コーデックを容易に決定することができる。
（４）モニタ部の操作部から、モニタ対象の無線通話チャネルを指定するように構成したので、モニタ対象の無線通話チャネルを容易に指定することができる。
（５）モニタ部において、上り音声データと下り音声データとを加算するように構成したので、モニタ部の構成を簡素化できる。
（６）無線通話で使用する音声コーデックの種別を通話要求情報の発信元と着信先に対応付けて、音声コーデックマトリクス情報として予め記憶しておき、音声コーデック決定部は、基地局を介する無線通話が行われる際に、当該無線通話において使用される音声コーデックの種別を、端末局から送信される通話要求情報に含まれる発信元ＩＤ情報及び着信先ＩＤ情報と、音声コーデックマトリクス情報とに基づいて決定するので、当該無線通話において使用される音声コーデックの種別を容易に決定できる。
【００７１】
なお、本発明は、上述した実施形態に限定されるものではなく、種々変形、組み合わせて実施することができる。
例えば、上述の実施形態では、移動端末局にＥＬＣＥＬＰを備え、固定端末局にＥＬＣＥＬＰとＡＭＢＥを備えるよう構成したが、本発明は、移動端末局と固定端末局以外の端末局にも適用可能であり、また、ＥＬＣＥＬＰとＡＭＢＥ以外の音声コーデックを使用する形態も可能である。
また、上述の実施形態では、基地局を介する無線通話で使用する音声コーデックを決定する音声コーデック決定部の機能を、統制局内の回線制御部に設けたが、回線制御部に限られず、例えば、基地局内に設ける構成とすることも可能である。また、回線制御部を回線制御装置として、統制局外に設ける構成とすることも可能である。
また、上述の実施形態では、基地局を介する無線通話をモニタするモニタ部を、基地局内に設けたが、モニタ装置として基地局外に設ける構成とすることも可能である。
【００７２】
また、本発明は、本発明に係る処理を実行するシステムや装置としてだけでなく、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。例えば、上述した回線制御部２１や基地局制御部３１やモニタ部制御部３１等の各構成部は、それぞれ、ＣＰＵ（Central Processing Unit）と各構成部の動作プログラム等を格納するメモリを備え、それぞれのＣＰＵは、その動作プログラムに従って動作するよう構成してもよく、あるいは、ＣＰＵを用いないハードウエア回路として構成してもよい。
【００７３】
本明細書には、少なくとも次の構成が含まれる。すなわち、
第１の構成は、
第１の音声コーデックを備える第１の端末局と、第１の音声コーデックと第２の音声コーデックとを備える第２の端末局と、前記第１の端末局及び前記第２の端末局と無線通信を行う基地局とを備え、前記第１の端末局及び前記第２の端末局が前記基地局を介して無線通話可能な無線通信システムであって、さらに、
前記基地局を介する無線通話において使用される音声コーデックを決定する音声コーデック決定部と、
操作者からの入力を受け付ける操作部と情報を記憶する記憶部とを有し、前記基地局を介する無線通話をモニタするモニタ部とを備え、
前記モニタ部は、前記基地局を介する無線通話が行われる際に、当該無線通話において使用される音声コーデックの種別を前記音声コーデック決定部から受信し、該受信した音声コーデックの種別を当該無線通話において使用される無線通話チャネルと対応付けて、前記記憶部に記憶し、前記操作部からモニタ対象の無線通話チャネルが指定された通話モニタ要求がなされると、該指定された無線通話チャネルに対応する音声コーデックの種別を前記記憶部から読み出し、該読み出した種別の音声コーデックに基づき、当該無線通話の音声データを復号化して出力することを特徴とする無線通信システム。
【００７４】
第２の構成は、上記第１の構成の無線通信システムであって、
前記音声コーデック決定部は、前記基地局を介する無線通話の音声データの経路を設定する回線制御部に設けられ、
前記モニタ部は、前記基地局に設けられることを特徴とする無線通信システム。
【００７５】
第３の構成は、上記第１の構成又は第２の構成の無線通信システムであって、
前記モニタ部は、前記基地局宛てに送信された上り音声データと前記基地局から送信された下り音声データとを復号化した後、加算して出力することを特徴とする無線通信システム。
【００７６】
第４の構成は、上記第１の構成ないし第３の構成の無線通信システムであって、
前記音声コーデック決定部は、前記基地局を介する無線通話が行われる際に、当該無線通話において使用される音声コーデックの種別を、前記第１の端末局又は前記第２の端末局から送信される通話要求情報に含まれる発信元ＩＤ情報及び着信先ＩＤ情報と、無線通話で使用する音声コーデックの種別を通話要求情報の発信元と着信先に対応付けて記憶する音声コーデックマトリクス情報とに基づいて決定することを特徴とする無線通信システム。
【００７７】
第５の構成は、
複数の端末局と無線通信を行い、当該基地局を介する無線通話をモニタするモニタ部を備える基地局であって、
前記モニタ部は、複数種類の音声コーデックを有し、前記基地局を介する無線通話が行われる際に、当該無線通話において使用される音声コーデックの種別を受信し、前記複数種類の音声コーデックの中から前記受信した音声コーデックを選択して使用し、当該無線通話の音声データを復号化して出力することを特徴とする基地局。
【００７８】
第６の構成は、上記第５の構成の基地局であって、
前記モニタ部は、操作者からの入力を受け付ける操作部と情報を記憶する記憶部とを有し、前記基地局を介する無線通話が行われる際に、当該無線通話において使用される音声コーデックの種別を受信し、該受信した音声コーデックの種別を当該無線通話において使用される無線通話チャネルと対応付けて、前記記憶部に記憶し、前記操作部からモニタ対象の無線通話チャネルが指定された通話モニタ要求がなされると、該指定された無線通話チャネルに対応する音声コーデックの種別を前記記憶部から読み出し、該読み出した種別の音声コーデックに基づき、当該無線通話の音声データを復号化して出力することを特徴とする基地局。
【００７９】
第７の構成は、上記第５の構成又は第６の構成の基地局であって、
前記モニタ部は、前記基地局宛てに送信された上り音声データと前記基地局から送信された下り音声データとを復号化した後、加算して出力することを特徴とする基地局。
【符号の説明】
【００８０】
１０…統制局、１２…統制台、１２ａ…マイク、１２ｂ…スピーカ、１３…ＦＡＸ、１５…中継交換機、１６…内線電話機、１７…ＦＡＸ、２０…統制局制御装置、２１…回線制御部、２２…コーデック部、２３…記憶部、３０…基地局、３１…基地局制御部、３２…無線部、３３…インタフェース（ＩＦ）部、４０…モニタ部、４１…制御部、４２…操作部、４３…記憶部、５１ａ，５１ｂ…セレクタ、５２ａ，５２ｂ…スイッチ、５３ａ，５３ｂ…音声コーデック（ＥＬＣＥＬＰ）、５４ａ，５４ｂ…音声コーデック（ＡＭＢＥ）、５５ａ，５５ｂ…セレクタ、５６…加算器、５７…Ｄ／Ａコンバータ、５８…アンプ、５９…スピーカ、６０…端末局、６１…制御部、６２…無線部、６２ａ…アンテナ、６３…記憶部、６４…操作部、６５…マイク、６６…スピーカ。
【図１】
2014072567.tif 000003
【図２】
2014072567.tif 000004
【図３】
2014072567.tif 000005
【図４】
2014072567.tif 000006
【図５】
2014072567.tif 000007
【図６】
2014072567.tif 000008
【図７】
2014072567.tif 000009